(57)【要約】【課題】  本発明は、チューブポンプにおける弾性チューブの脱着操作の容易化を目的としている。【解決手段】  本発明に成るチューブポンプは、ベースと、ケーシングと、カバーと、駆動軸及びこれと一体的に転動する複数のローラを有するロータ部を備え、前記ケーシングが、ベースのラックとカバーの開閉支点を成すピニオンで連係し、カバーの開閉動作に連動して移動するスライドケーシングとして構成され、好ましくは、前記スライドケーシング内周面の段つき円弧面とこれに対応するカバーの環状突起とが、弾性チューブの案内手段として、又は、弾性チューブ挿入側に併設されるチューブクランプが、カバー開閉に伴い弾性チューブと離接自在に構成され、又は、前記ロータ部の永久磁石とこれに対向する磁気検出手段とが、回転状態の監視及びロータの定位置での停止信号取得手段となるように構成されている。【選択図】        図１
2005105862.tif 000002
【特許請求の範囲】
【請求項１】
駆動軸を回転自在に保持するベースと、該ベースに嵌着されるケーシングと、該ケーシングに連結保持されるカバーと、前記駆動軸と一体を成し、ケーシングの内周面に沿って転動する複数のローラを有するロータ部と、を備え、ケーシングの内周面に沿うように案内され挿通される弾性チューブ内の液体をローラの転動押圧によって移送するように構成されるチューブポンプにおいて、
前記ベースは、ケーシングの環状外壁の外側部位にラックを備え、ケーシング環状外壁の前記ラックに対向する部位に保持されたピニオンが、カバーの開閉支点を成すと共に、該ラックとピニオンとの係合が、カバーの開閉に伴うベースに対する移動手段を成し、前記ケーシングが、これに一体保持されるカバーの開閉動作に連動し、ベースに対し移動可能なスライドケーシングとして形成され、該スライドケーシングに弾性チューブを案内するほぼ円弧状を成す内周面が設けられていること、を特徴とするチューブポンプ。
【請求項２】
前記スライドケーシングの内周面が、カバーに当接する開放端側を大径とする段つき円弧面を成すと共に、当該カバーの、スライドケーシングとの当接側に、スライドケーシングの大径円弧面に対応する環状突起を有し、該カバーの環状突起とスライドケーシング内周面段差部とが、挿通される弾性チューブの案内手段となるように構成されていること、を特徴とする請求項１に記載のチューブポンプ。
【請求項３】
スライドケーシングの弾性チューブ挿入側端縁に併設されるチューブクランプは、弾性チューブの吸入側・吐出側に対応するよう対を成す腕を備え、夫々の腕が片端で転回可能に保持されると共に他端に弾性チューブに当接する湾曲面を有し、該腕の中間部位に付設された小ローラを介して前記カバーの端縁に設けられる突状部と離接自在に構成され、カバー開閉に伴う該突状部の嵌入もしくは離脱により、腕の他端の湾曲部が夫々弾性チューブと離間もしくは当接するように構成されていること、を特徴とする請求項１又は２に記載のチューブポンプ。
【請求項４】
駆動軸と一体を成すロータ部は、所定部位に永久磁石を備え、該永久磁石とこれに対応配置される磁気検出手段が、当該ロータ部回転状態の監視及び所定位置での停止信号取得手段となるように構成されていること、を特徴とする請求項１から３のいずれかに記載のチューブポンプ。
【発明の詳細な説明】
【技術分野】
【０００１】
本発明は、人工透析装置等に搭載されるチューブポンプに関する。
【背景技術】
【０００２】
【特許文献１】発明の名称；チューブポンプおよび血液ポンプ、並びに当該血液ポンプを用いた人工透析装置、特開平６−２１８０４２号公報
【０００３】
人工透析装置等人体を対象とする機器の信頼性は、これが極めて厳しく求められることは言うまでもないことで、その信頼性を補完する手段として、取扱いの容易化の必然性が自明の点もよく知られている。
【０００４】
上述引用文献特開平６−２１８０４２号公報もその一例で、当該チューブポンプの取扱い性の容易化に係る提案であって、詳細は同公報に譲ることとするが、機器本体の複雑化の懸念を窺わせつつも、取扱い性の改良の実現を意図するものであることに違いは無い。
【発明の開示】
【発明が解決しようとする課題】
【０００５】
上述の如き従来の構成は、上述引用文献を含むいずれの周知技術も、当該チューブの着脱・機器のセットやリセット等に際し、取扱者の両手での作業を余儀なくされるもので、取扱者の負担や迅速性については未だ多くの改善を期待されているのが実態であった。
【課題を解決するための手段】
【０００６】
本発明に成るチューブポンプは、駆動軸を回転自在に保持するベースと、該ベースに嵌着されるケーシングと、該ケーシングに連結保持されるカバーと、前記駆動軸と一体を成し、ケーシングの内周面に沿って転動する複数のローラを有するロータ部と、を備え、ローラの転動押圧によって弾性チューブ内の液体を移送するように構成されるもので、前記ケーシングは、カバーの開閉動作に連動して前記ベースに対し移動可能な、スライドケーシングとして形成され、該スライドケーシングに弾性チューブを案内するほぼ円弧状を成す内周面が設けられており、
【０００７】
前記ベースが、スライドケーシングの環状外壁の外側部位にラックを備え、環状外壁の該ラックに対向する部位に保持されたピニオンが、カバーの開閉支点を成すと共に、該ラックとピニオンとの係合が、カバーの開閉に伴う、ベースに対するスライドケーシングおよびこれと一体的に移動するカバーの移動手段であるように構成され、又は、
【０００８】
前記スライドケーシングの内周面が、カバーに当接する開放端側を大径とする段つき円弧面を成すと共に、カバーの、スライドケーシングとの当接側に、スライドケーシングの大径円弧面に対応する環状突起を有し、該カバーの環状突起と前記スライドケーシング内周面段差部とが、挿通される弾性チューブの案内手段となるように構成され、又は、
【０００９】
スライドケーシングの弾性チューブ挿入側端縁に併設されるチューブクランプは、弾性チューブの吸入側・吐出側に対応するよう対を成す腕を備え、夫々の腕が片端で転回可能に保持されると共に他端に弾性チューブに当接する湾曲面を有し、該腕の中間部位に付設された小ローラを介して前記カバーの端縁に設けられる突状部と離接自在に構成され、カバー開閉に伴う該突状部の嵌入もしくは離脱により、腕の他端の湾曲部が夫々弾性チューブと離間もしくは当接するように構成され、更に又、
【００１０】
駆動軸と一体を成すロータ部は、所定部位に永久磁石を備え、該永久磁石とこれに対応配置される磁気検出手段が、当該ロータ部回転状態の監視及び所定位置での停止信号取得手段となるように構成されている。
【発明の効果】
【００１１】
本発明に成るチューブポンプは、弾性チューブの片手での操作を可能とし、当該チューブの脱着の容易化と共に、人的操作の簡便化による装着状態の安定性・信頼性の向上を実現している。
【発明を実施するための最良の形態】
【００１２】
以下図面によって本発明の実施例を説明する。
【実施例１】
【００１３】
図１は本発明に成るチューブポンプ１の例におけるカバー６の閉じ状態の上面全体像を示す透視略図、図２は図１の例に対応するカバー６の開き状態の透視略図、図３は図１のカバー６の閉じ状態での側面の様子を示す側面断面略図、図４は図３の例に対応するカバーが開き状態での様子を示している。
【００１４】
駆動軸８によってロータ部９が回転し、ケーシング４の円弧状内周面４−２と、該内周面に沿って転動するローラ９−２によって、嵌入・挿通された弾性チューブ２の押圧部位が移動することで内部の液体が移送されることは、従来周知の背景技術であるので説明を省略する。
【００１５】
チューブポンプ１の底面を形成するベース３には、ケーシングをスライドケーシング４として移動自在に連係するためのラック３−１が形成され、該ラック３−１と係合するよう当該スライドケーシング４の環状周壁の外側にピニオン６−２が設けられている。
【００１６】
図１と図２を参照して、図３に示すカバー６の閉じ状態と、図４に示すカバー６の開き状態に見るように、スライドケーシング４は、カバー６の環状周壁の外側に設けられているピニオン６−２を支点とするカバー６を開く操作に連動して、該カバー６や内部のロータ部９と一体的に、上述ベース３に形成されているラック３−１との係合移動に伴い、ロータ部９の転動外周円弧部位から離間するよう移動可能に構成されている。
【００１７】
即ち、カバー６の閉じ状態で、スライドケーシング４の円弧状内周面４−２と該内周面４−２に沿って転動するローラ９−２とにより、押圧による液送状態におかれた弾性チューブ２は、スライドケーシング４の移動で押圧から開放されて、弾性チューブ２の取扱操作に何の障害も無い状態となる。
【００１８】
ベース３に形成されたラック３−１と、スライドケーシング４に付設され、開閉動作の支点となるピニオン６−２との係合による、カバー６の開閉操作に連動した、スライドケーシング４とこれに一体保持されるカバー６の移動の構成が、本願第１の発明である。
【００１９】
弾性チューブ２の案内部でもある円弧状内周面４−２を備えるケーシング自体が移動自在となっていることから、当該ケーシングをスライドケーシングと称している。
【実施例２】
【００２０】
図５は上述図１の例に対応する、内部を説明する正面透視図で、スライドケーシング４に形成された円弧状内周面４−２は，カバー６に当接する開放端縁側が大径となる、断面段差４−３を有する円弧面として形成されている。
【００２１】
そして、上述スライドケーシング４の円弧状内周面４−２の開放端を覆うように併設されるカバー６には、上述大径円弧面に対応する環状突起部６−５が形成されている。
【００２２】
液送のため嵌入・挿通される弾性チューブ２が、上述内周円弧面４−２とロータ部９の転動ローラ９−２とで押圧されていない状態と、転動ローラ９−２で押圧された状態との変動によるずれが生じないように、スライドケーシング４の円弧状内周面４−２に弾性チューブ２の案内溝の形成が好ましいが、該案内溝の機能を、上述スライドケーシング４の内周円弧面４−２の段差部４−３とカバー６の環状突起部６−５とが担うものである。
【実施例３】
【００２３】
図６は上述図１の例に対応するチューブクランプ部７を説明するもので、カバー６が閉じ状態の様子を示し、
【００２４】
図７は、カバー６の開き状態に対応するチューブクランプ部７の様子を示すものである。
【００２５】
両図から明らかなように、カバー６の端縁に形成された突条部６−３は、カバー６の閉じ状態では、チューブクランプ部７を形成している対の腕の間に嵌入し、両腕夫々の中間部位に付設され転回自在の小ローラ７−３の間に挿入状態となっており、カバー６を開く操作により、該突条部６−３は上述チューブクランプ部７の腕から離脱するようになっている。
【００２６】
チューブクランプ部７は、弾性チューブ２の吸入側・吐出側に対応する対の腕を備え、該腕はいずれも、夫々の片端が転回支点７−２で、中間部位の屈曲部近傍に上述回転自在の小ローラ７−３を備え、弾性チューブ２に当接する他端は、当該弾性チューブ２に対応する湾曲面７−１として形成されている。
【００２７】
そして、上述カバー６の端縁に形成されている突条部６−３は、チューブクランプ部７の小ローラ７−３に適応するように、両側面に凹状部を備え、カバー６の閉じ状態で突条部６−３が嵌入している際に、嵌着が安定するようにして、カバー６の閉じ状態維持に備えることも好ましいものである。
【実施例４】
【００２８】
また、上述図５に示す、ロータ部９に付設される永久磁石９−３と、これに対向する部位のベース３に設けられる磁気検出手段１０は、その検出信号によりロータ部９の回転状態を監視し、又は当該ロータ部９が所定の位置での停止を検出する為の信号取得手段で、夫々上述の発明技術に付加併設されるものである。
【産業上の利用可能性】
【００２９】
本発明に成るチューブポンプは、血液、透析液等を人体に送液する医療分野や、化学物資が混入された液体を送液する分析分野、醤油、食用抽等を送液する食品分野等に多く利用できる。
【図面の簡単な説明】
【００３０】
【図１】本発明に成るチューブポンプの例の、カバー閉じ状態での上面全体図である。
【図２】図１に対応する、カバー開き状態での説明図である。
【図３】図１の例の側面から見た説明図である。
【図４】図３に対応する、カバー開き状態での説明図である。
【図５】図１の例の内部説明図である。
【図６】図１の例の、チューブクランプ部の説明図である。
【図７】図６に対応する、カバー開き状態の説明図である。
【符号の説明】
【００３１】
１        チューブポンプ
２        弾性チューブ
３        ベース
３−１    ラック
４        スライドケーシング
４−１    スライド面
４−２    円弧状内周面
４−３    チューブガイド
５        スライド押え板
６        カバー
６−１    開閉支点
６−２    ピニオン
６−３    突条部
６−４    ハンドル
６−５    環状突起部
７        チューブクランプ部
７−１    腕湾曲面
７−２    腕支点
７−３    小ローラ
７−４    コイルスプリング
８        駆動軸
９        ロータ部
９−１    ローラハウジング
９−２    ローラ
９−３    永久磁石
１０        磁気検出手段
【図１】
2005105862.tif 000003
【図２】
2005105862.tif 000004
【図３】
2005105862.tif 000005
【図４】
2005105862.tif 000006
【図５】
2005105862.tif 000007
【図６】
2005105862.tif 000008
【図７】
2005105862.tif 000009